(57)【特許請求の範囲】
【請求項１】
ケース体内に収容された駆動モータと、この駆動モータで回転駆動される駆動ローラと、この駆動ローラと共に釣り糸を挟んで引抜くための受けローラとを有する釣り用糸引抜き機であって、前記駆動モータを作動する駆動スイッチが、この駆動スイッチのオン操作に連動して前記受けローラを駆動ローラ側に押圧する押圧体を有することを特徴とする釣り用糸引抜き機。
【請求項２】
前記受けローラを回動可能に支持した支持体を、前記ケース体に対して移動可能に装着したことを特徴とする請求項１に記載の釣り用糸引抜き機。
【発明の詳細な説明】
【技術分野】
【０００１】
本発明は、釣り用糸引抜き機に関し、特に、ケース体内に収容された駆動モータと、この駆動モータで回転駆動される駆動ローラと、この駆動ローラと共に釣り糸を挟んで引抜くための受けローラとを有する釣り用糸引抜き機に関する。
【背景技術】
【０００２】
従来、魚釣用リールのスプールに巻かれた釣り糸を交換するときに、スプールに巻かれている釣り糸を取り除くために、釣り用糸引抜き機が用いられている。
【０００３】
このような釣り用糸引抜き機は、電池等の電源で駆動される駆動モータと、この駆動モータで回転駆動される駆動ローラと、この駆動ローラに当接するように付勢された受けローラとを有し、駆動モータで回転される駆動ローラと受けローラとの間に釣り糸を挟持しながら、一側側からこれらのローラ間に引き込んだ釣り糸を他側側に排出し、スプールから釣り糸を素早く引き抜くことができる（例えば特許文献１参照）。
【特許文献１】米国特許第４６３５４０６号明細書
【発明の開示】
【発明が解決しようとする課題】
【０００４】
しかし、上述のような従来の釣り用糸引抜き機は、受けローラが駆動ローラに向けてバネで付勢されているため、受けローラが駆動ローラに対して常に一定の押圧力で押圧され、釣り糸の種類や太さによっては、滑らかに引き抜くことができない。例えば太い釣り糸の場合には、駆動ローラと受けローラとの間に挟持させることが困難であり、細い釣り糸の場合には、駆動ローラと受けローラとの間で滑りやすい。
【０００５】
本発明は、このような事情に基づいて成されたもので、釣り糸の種類や太さ等が異なる場合でも、効率よく釣り糸を引き抜くことができる釣り用糸引抜き機を提供することを目的とする。
【課題を解決するための手段】
【０００６】
上記目的を達成する本発明の釣り用糸引抜き機は、ケース体内に収容された駆動モータと、この駆動モータで回転駆動される駆動ローラと、この駆動ローラと共に釣り糸を挟んで引抜くための受けローラとを有する釣り用糸引抜き機であって、前記駆動モータを作動する駆動スイッチが、この駆動スイッチのオン操作に連動して前記受けローラを駆動ローラ側に押圧する押圧体を有することを特徴とする。
【０００７】
前記受けローラを回動可能に支持した支持体を、前記ケース体に対して移動可能に装着することが好ましい。
【発明の効果】
【０００９】
本発明の釣り用糸引抜き機によると、駆動モータを作動する駆動スイッチのオン操作に連動してこの駆動スイッチの押圧体が、受けローラを駆動ローラ側に押圧するため、釣り糸を、駆動スイッチのオン操作前に駆動ローラと受けローラとの間に容易に挿入し、電気エネルギーを無駄に消費することなく、駆動ローラと受けローラとの間に挟持する釣り糸の太さあるいは表面の滑り状態の異なる釣り糸に対して押圧力を最適の大きさに調整することができ、種々の種類や太さの釣り糸を効率よく引き抜くことができる。
【００１０】
受けローラを回動可能に支持した支持体をケース体に対して移動可能に装着する場合には、押圧力を調整する場合でも、駆動ローラに対する受けローラの姿勢を一定に保持することができる。
【発明を実施するための最良の形態】
【００１２】
図１から図６は、本発明の好ましい実施形態による釣り用糸引抜き機１０を示す。
【００１３】
図１に使用状態を示すように、この釣り用糸引抜き機１０は、釣り糸ｔを上端側の一側から受入れ、他側から排出することにより、魚釣用リール８のスプール６に巻かれた釣り糸ｔを素早く抜き取ることができる。
【００１４】
図２から図６に詳細に示すように、本実施形態における釣り用糸引抜き機１０は、片手で握持し易い略長方形状の横断面形状を有し、一端にキャップ１２ａを取外し可能に取付けた絶縁材製のケース体１２を備え、このケース体１２内に、駆動モータ１４と電力源である電池１６とを収容した小形かつ軽量構造に形成してある。
【００１５】
このケース体１２の内部は、モータ室１８と電源室２０とに区画してあり、駆動モータ１４は、モータ室１８内に固定された状態で収容される。この駆動モータ１４から延びる一方の電気端子１４ａが中間壁２２を介して下方の電源室２０内に突出して電池１６の一方の電極（負極）に接続される。また、他方の電気端子１４ｂはモータ室１８内に配置され、後述する駆動スイッチの接点を形成する。
【００１６】
電池１６は、一次電池あるいは二次電池を用いることができ、必要な場合にはこの電池１６を省略して外部電源から必要な電力を供給してもよい。外部電源を用いる場合には、駆動モータ１４は、直流モータに限らず、交流モータを用いることもできる。
【００１７】
駆動モータ１４は、モータ室１８内に、支持部２４で例示するような種々の支持部を介して支えられ、ガタつきを防止される。そして、この駆動モータ１４の駆動軸２６が、ケース体１２の端壁２８に形成した貫通孔３０を介して、外部に突出し、端壁２８の上方に配置されたその先端に駆動ローラ３２が取付けられる。
【００１８】
本実施形態の駆動ローラ３２は、駆動軸２６に装着するハブ部３２ａの周部に、ハブ部３２ａよりも柔軟な材料で形成したリム部３２ｂを装着してある。ハブ部３２ａは、例えば金属等の硬質材料で形成し、リム部３２ｂは、例えばポリウレタン、酢酸エチレンビニル共重合体等の好適な柔軟性を有する合成樹脂またはゴムで形成し、この大径かつ柔軟な外周面で、受けローラ３４と共に釣り糸ｔを挟持する柔軟な挟持面を形成するのが好ましい。駆動ローラ３２の外周面を可能な限り大径に形成することにより、周速度すなわち釣り糸ｔの送り速度を高速にすることができる。
【００１９】
なお、受けローラ３４は、金属等、駆動ローラ３２のリム部３２ｂよりも硬質の材料で形成する。
【００２０】
受けローラ３４は、駆動ローラ３２の外周面に対して、その外周面を対向させて配置され、中心位置を貫通する支持軸３６が、端壁２８の外面上に配置された支持体３８で回転自在に支えられる。この支持体３８は、ケース体１２の端壁２８上を、駆動軸２６に近接する方向あるいは離隔する方向に摺動し、受けローラ３４の支持軸３６を駆動軸２６に対して略平行に支える。これにより、駆動ローラ３２の外周面と受けローラ３４の外周面とがほぼ平行に配置され、これらの外周面すなわち挟持面が互いに当接したときに、軸方向に沿って均等な押圧力を形成することができる。なお、受けローラ３４は釣り糸ｔを駆動ローラ３２の外周面に均等に押圧することができるものであればよく、駆動ローラ３２より小径で外周面の幅は大きく形成されている。
【００２１】
この支持体３８は、支持軸３６の上下端部を支える上板部３８ａと台座部３８ｂとを直立部３８ｃで連結した断面コ字状形状を有し、台座部３８ｂの両側の縁部を、端壁２８の外面に形成した案内溝４０内に摺動可能に遊嵌してある。なお、図２および図３に示すように、台座部３８ｂの両側から延長部３８ｄを延長し、駆動軸２６を超えて案内溝４０内に延設することにより、支持体３８のガタ付きを防止して滑らかに案内し、その姿勢を安定させて維持することができる。この案内溝４０は、その延設方向の一端側、本実施形態では受けローラ３６側でケース体１２の側方に開口する開口部４０ａを有し、この開口部４０ａを介して支持体３８を案内溝４０内に導入し、あるいは取外すことができる。通常、この開口部４０ａは、キャップ１２ａの周壁部で閉じられる。
【００２２】
更に、この釣り用糸引抜き機１０には、駆動モータ１４を作動する駆動スイッチ４２が設けられており、この駆動スイッチ４２をオン操作（押圧操作）したときに、受けローラ３４を駆動ローラ３２側に押圧される。
【００２３】
本実施形態の駆動スイッチ４２は、一端が電源室２０内で、電池１６の電極（正極）に接触する接続端子として中間壁２２に固定され、この中間壁２２を貫通してモータ室１８内を通り、ケース体１２の端壁２８に形成した挿通孔４４から、支持体３８の背部すなわち駆動ローラ３２の反対側に突出する金属製の板バネで形成した押圧体４６を備える。この押圧体４６は、モータ室１８内に配置された部位に操作ボタン４８を固定してあり、ケース体１２の側壁部に形成したボタン孔５０から外方に突出した端部を、図５に矢印Ｆで示すように、ケース体１２内に向けて押圧する（オン操作）と、押圧体４６は中間壁部２２に固定された下端部を中心として撓んで回動しつつ、上端側は、端壁２８の挿通孔４４内を移動し、支持体３８を介して受けローラ３４を駆動ローラ３２に押圧する。このとき、モータ室１８内で押圧体４６がモータ１４の電気端子１４ｂに接触し、電気回路を閉成してモータ１４が駆動する。
【００２４】
図４から図６に示すように、このように駆動ローラ３２と受けローラ３４とを配置した端壁２８上には、一対の糸ガイド５２を突設してあり、これらの糸ガイド５２に形成したガイド孔５４を通して釣り糸ｔを矢印Ｔの方向に沿って案内することができる。また、端壁２８に形成した周溝２８ａに沿って嵌合されるキャップ１２ａには、これらのガイド孔５４に対応する横方向孔５６を形成してある。
【００２５】
図６に示すように、ガイド孔５４は、駆動ローラ３２の厚さである軸方向寸法よりも僅かに大きな径に形成し、最も外側に位置する横方向孔５６はこのガイド穴５４よりも僅かに大きく形成され、受けローラ３４との間に釣り糸ｔを滑らかに案内することができる。
【００２６】
このように形成された釣り用糸引抜き機１０を用いて魚釣用リール８のスプール６から釣り糸を抜き取る場合は、以下のように行うことができる。
【００２７】
図２および図４に示すように、操作ボタン４８を離した状態で、釣り糸ｔの先端を、一側の横方向孔５６およびガイド孔５４を介して、駆動ローラ３２と受けローラ３４との間の間隙を通し、反対側のガイド孔５４および横方向孔５６を介して他側に突出させる。受けローラ３４は駆動ローラ３２に押圧されていないため、充分な間隙が形成され、釣り糸を容易に挿通することができる。
【００２８】
この後、操作ボタン４８を矢印Ｆ（図５）の方向に押圧し、駆動スイッチ４２をオン操作すると、板バネで形成された押圧体４６が端壁２８の挿通孔４４内を駆動軸２６側に向けて移動し、支持体３８の直立部３８ｃを押圧する。支持体３８は、台座部３８ｂを端壁２８の案内溝４０で案内され、支持軸３６を駆動軸２６に対して平行に維持しつつ受けローラ３４を駆動ローラ３２の柔軟な材料で形成したリム部３２ｂの外周面に押圧する。このとき、操作ボタン４８をより強く押圧すると、これに連動して押圧体４６を介して、駆動ローラ３２に受けローラ３４がより強く押圧されるため、釣り糸ｔがより強く保持され、また、釣り糸ｔは、受けローラ３４により、リム部３２ｂを形成する樹脂材料内に押し込まれた状態となり、挟持面間に確実に保持される。
【００２９】
この操作ボタン４８による駆動スイッチ４２のオン操作により、押圧体４６が移動すると同時にあるいは直前に、モータ室１８内で電気端子１４ｂに接触して電気回路を閉じ、駆動モータ１４が作動し、駆動ローラ３２が回転する。これにより、釣り糸ｔは、矢印Ｔの方向に高速で送られ、スプール６から迅速に釣り糸ｔを取出すことができる。
【００３０】
釣り糸ｔが滑り易い場合には、操作ボタン４８をより強く押すと、受けローラ３４の押圧力が増大し、逆に滑り難い釣り糸ｔの場合には、押圧力を弱めても、迅速に釣り糸ｔを送ることができ、この操作ボタン４８により、駆動モータ１４を回転しつつ、駆動ローラ３２と受けローラ３４との間で釣り糸ｔを挟持する力の大きさを調節することができる。
【００３１】
押圧ボタン４８を離し、駆動スイッチをオフ操作すると、押圧体４６がそのバネ力で復帰し、電気端子１４ｂから離隔し、駆動モータ１４および駆動ローラ３２の回転が停止する。このオフ操作と同時に、受けローラ３４は駆動ローラ３２で弾かれて、支持体３８と共に駆動ローラ３２から離隔する。
【００３２】
したがって、この釣り用糸引抜き１０によると、駆動モータ１４を作動する駆動スイッチ４２のオン操作に連動して受けローラ３４を駆動ローラ３２側に押圧することができ、駆動ローラ３２と受けローラ３４との間に挟持する釣り糸ｔの太さあるいは表面の滑り状態の異なる釣り糸に対して押圧力を最適の大きさに調整することができ、種々の種類や太さの釣り糸ｔを効率よく引き抜くことができる。
【００３３】
また、受けローラ３４を回動可能に支持した支持体３８がケース体１２および駆動ローラ３２に対して移動可能に装着されていることにより、受けローラ３４の押圧力を調整する場合でも、駆動ローラ３２に対する受けローラ３４の姿勢を、それぞれの駆動軸２６および支持軸３６を平行に維持した一定に保持することができる。
【００３４】
更に、受けローラ３４が駆動スイッチ４２のオン操作で、駆動ローラ３２側に押圧されることにより、釣り糸ｔを、駆動スイッチ４２のオン操作前に駆動ローラ３２と受けローラ３４との間に容易に挿入することができ、また、電池１６の電気エネルギーを無駄に消費することなく、効率よく使用することができる。
【００３５】
なお、駆動ローラ３２に対して受けローラ３４を平行移動することにより、互いに離隔させ、あるいは当接させることに代え、例えば押圧体４６が常時支持体３８に接触または押圧するようにして、駆動ローラ３２と受けローラ３４とを常時接触させておいてもよい。この場合には、駆動スイッチ４２をオン操作するときに、駆動ローラ３２に接触した受けローラ３４を、この駆動ローラ３２に対してより強い力で押圧させるようにしてもよい。また、駆動ローラ３２の外径の異なるものと交換することにより、釣り糸の送り速度を調節させてもよい。
【図面の簡単な説明】
【００３６】
【図１】本発明の好ましい実施形態による釣り用糸引抜き機の説明図。
【図２】図１の釣り用糸引抜き機のオフ状態を説明する概略的な縦断面図。
【図３】図１の釣り用糸引抜き機のオン状態を説明する概略的な縦断面図。
【図４】図２のオフ状態の駆動ローラと受けローラとを示す概略的な横断面図。
【図５】図３のオン状態の駆動ローラと受けローラとを示す概略的な横断面図。
【図６】図５のＶＩ−ＶＩ線に沿う概略的な断面図。
【符号の説明】
【００３７】
１０…釣り用糸引抜き機、１２…ケース体、１４…駆動モータ、３２…駆動ローラ、３４…受けローラ、４２…駆動スイッチ、ｔ…釣り糸。
【図１】
0004932645.tif 000002
【図２】
0004932645.tif 000003
【図３】
0004932645.tif 000004
【図４】
0004932645.tif 000005
【図５】
0004932645.tif 000006
【図６】
0004932645.tif 000007